(57)【要約】【課題】  消費電力を低減してフォーカシング方向及びトラッキング方向の推力を増大し、対物レンズの合焦点位置がシフトしてもローリングモードによる振動を抑制して再生特性を向上した光ディスク装置の対物レンズ駆動装置を提供する。【解決手段】  フォーカシングコイル８、及びトラッキングコイル９に、磁力を発生させるために必要となる磁場を形成する磁石６Ａ，６Ｂを中央のＮ極とそのトラッキング方向両側のＳ極とで３極に着磁を行い、トラッキングコイル９のフォーカシング方向の辺をそれぞれＮ極６ｎ，Ｓ極６ｓに対向配置し、トラッキング方向に２倍の推力（電磁力）を発生させる。トラッキングコイル９に対比して永久磁石６Ａ，６Ｂの光軸方向の長さが長いため、磁界強度が均一になり、対物レンズ１でのローリングモードが抑制される。３極の境界部をヨーク７Ａｂの両外側に配置することでフォーカシングコイル８の推力（電磁力）を増大する。【選択図】  図２
2005038496.tif 000002
【特許請求の範囲】
【請求項１】
光ディスク媒体に光源からの光を集光させる対物レンズと、前記対物レンズを光軸方向に駆動するフォーカシングコイル、及び光軸と直交するラジアル方向に駆動するトラッキングコイルとを備えたレンズホルダと、前記レンズホルダを光ヘッド上で移動可能に支持する支持部材と、前記フォーカシングコイル及びトラッキングコイルと交差する磁界を発生させる磁石と、前記磁石と協動して前記磁界の磁力強度を高めるヨークとを備える光ヘッドにおいて、前記磁石は、トラッキング方向に沿って中央の第１の磁極と、これを挟む両側の第２の磁極とで構成され、前記トラッキングコイルは前記第１及び第２の磁極の各境界部においてそれぞれ一方の辺が前記第１の磁極に対向され、他方の辺が前記第２の磁極に対向されるように複数個設けられ、前記磁石の第１の磁極と第２の磁極の各境界部は前記フォーカシングコイルを挟んで前記磁石に対向配置されるヨークのトラッキング方向の両側縁よりも両外側に配置されていることを特徴とする光ヘッドの対物レンズ駆動装置。
【請求項２】
前記トラッキングコイルは概ね長方形、ないしは正方形の形状に巻回されており、その４辺のうち前記フォーカシング方向と平行な辺がそれぞれ前記磁石の異なる磁極に対向するよう配置されていることを特徴とする請求項１に記載の光ヘッドの対物レンズ駆動装置。
【請求項３】
前記磁石はフォーカシング方向の両端部が開放されていることを特徴とする請求項１又は２に記載の光ヘッドの対物レンズ駆動装置。
【請求項４】
前記磁石の前記フォーカシング方向の寸法は、前記トラッキングコイルの前記フォーカシング方向に平行な部分である有効長寸法のほぼ２倍以上に形成されていることを特徴とする請求項１ないし３のいずれかに記載の光ヘッドの対物レンズ駆動装置。
【請求項５】
前記トラッキングコイルは前記磁石に対してフォーカシング方向のほぼ中央位置に対向配置されていることを特徴とする請求項４に記載の光ヘッドの対物レンズ駆動装置。
【請求項６】
前記磁石は一つの磁性体が異なる磁極に着磁されていることを特徴とする請求項１ないし５のいずれかに記載の光ヘッドの対物レンズ駆動装置。
【請求項７】
前記磁石は異なる磁極に着磁された複数の磁石が一体化されていることを特徴とする請求項１ないし５のいずれかに記載の光ヘッドの対物レンズ駆動装置。
【発明の詳細な説明】
【技術分野】
【０００１】
本発明は光ディスク媒体に対して情報の記録、再生等を行うための光ヘッドに設けられた対物レンズを駆動するための対物レンズ駆動装置に関し、特に省電力化を図るとともに、対物レンズでのローリングモードによる共振を抑制可能にした対物レンズ駆動装置に関する。
【背景技術】
【０００２】
一般にＣＤ（Compact Disc）やＤＶＤ（Digital Versatile Disc）等の光ディスク媒体を用いる光ディスク装置では、半導体レーザー等の光源より発光されたレーザー光を対物レンズにより光ディスク媒体の情報記録面上に集光し、情報の記録、再生、消去を行なうための光ヘッドが設けられる。この種の光ディスク装置では、光ディスク媒体の回転に伴う面振れや偏心等により情報が記録されている媒体記録面上のトラック位置が、光ディスク媒体の厚さ方向である光軸方向（本明細書ではフォーカシング方向と一致する）や、光ディスク媒体の半径方向であるラジアル方向（本明細書ではトラッキング方向と一致する）に常に変動する。このため光ディスク装置では、対物レンズを常に所望のトラックに追従させ、最適位置に駆動する必要があり、光ヘッド、すなわち対物レンズを光軸方向及びラジアル方向、換言すればフォーカシング方向、およびトラッキング方向に駆動するための対物レンズ駆動装置が設けられる。
【０００３】
図１０は従来の対物レンズ駆動装置の一例を示す外観図である。仮想線で示す光ディスク媒体Ｄの下側にレンズホルダ２に支持された対物レンズ１が配置されている。レンズホルダ２は光ヘッドのホルダ支持体４に４本の弾性変形可能なロッドからなる支持部材５により片持支持されており、前述したように光軸方向とラジアル方向に移動できるようになっている。また、レンズホルダ２はラジアル方向と直交する方向の両側に配置された永久磁石６，６の間に配置されており、レンズホルダ２の周囲にはフォーカシングコイル８が巻回されるとともに、前記各永久磁石６，６に対面される両端面にはそれぞれトラッキングコイル９が配設されている。なお、同図では前記ホルダ支持体４を支持するとともに前記永久磁石６，６の磁束密度を高めるためのヨークを一体に備えた固定ブロックについては図示を省略している。
【０００４】
この構成によれば、フォーカシングコイル８及びトラッキングコイル９は永久磁石６，６によって生じる磁界内に配置されることになるため、フォーカシングコイル８に電流を通流することでフォーカシングコイル８に発生する電磁力（フレミングの左手の法則による電磁力）によってレンズホルダ２は光軸方向に移動される。また、トラッキングコイル９に電流を通流することで同様にしてトラッキングコイル９に発生する電磁力によってレンズホルダ２はラジアル方向に移動されることになり、それぞれの方向における対物レンズ１の位置調整が可能になる。
【０００５】
ところで、近年、コンピュータの高速化に伴い、光ディスク装置に要求される記録、再生速度も高速化する傾向にある。光ディスク装置の高速化には、光ディスク媒体の回転数を上げ情報を高速に記録、再生することが必要となる。この時、光ディスク媒体の回転数が増加しても情報が記録された光ディスク媒体上のトラックに対して対物レンズはリアルタイムで追従していく必要がある。このため光ディスク装置の高速化には対物レンズ駆動装置における対物レンズをラジアル方向へ駆動する際に発生させる推力を上げる必要がある。対物レンズは、前述のごとく電磁力による推力により駆動されるため、トラッキングコイルへの印加電圧または印加電流を上げれば電磁力を増加することは可能となるが、このことは光ディスク装置における消費電力の上昇が余儀なくされることになる。
【０００６】
このような問題に対しては、特許文献１に記載の技術を適用することで消費電力を低減することが考えられる。特許文献１の技術は、トラッキングコイルを矩形に近い形状に巻回するとともに、このトラッキングコイルのラジアル方向に対向している光軸方向に延びる両辺に対して永久磁石の異なる磁極、すなわちＮ極とＳ極を対向配置するという技術である。このように構成することで、トラッキングコイルに電流を通流したときには、トラッキングコイルの前記各辺においてそれぞれ同一ラジアル方向への電磁力が発生することになり、少ない電流で大きな電磁力を得ることが可能になる。
【特許文献１】特開２００２−２４５６４７号公報
【発明の開示】
【発明が解決しようとする課題】
【０００７】
このように、単に消費電力を低減するのみであれば特許文献１の技術を採用することは可能であるが、次に述べるような問題を解消することは困難である。すなわち、最近の光ディスク装置として、１つの対物レンズと２つの波長の異なるレーザー光源を搭載し、ＣＤやＤＶＤなどのディスク厚みの異なる光ディスク媒体に対して情報を記録、再生、消去する光ディスク装置が提案されている。このような光ディスク装置では、各光ディスク媒体毎に情報記録面の高さとカバーガラスの厚みが異なるため、対物レンズにより集光するレーザー光の光軸方向の合焦点位置をシフトさせることが必要となる。このとき、対物レンズの光軸方向の合焦点位置が変動すると、すなわち対物レンズを支持しているレンズホルダの光軸方向の位置が変動すると、これに伴ってトラッキングコイルも一体的に光軸方向に位置が変動されることになる。
【０００８】
従来では、低電流でもトラッキング方向の所望の電磁力を得るために、トラッキングコイルは光軸方向に延びる辺が可及的に長くなるように形成しており、通常では当該辺の長さを永久磁石の光軸方向の長さにほぼ近い長さにしている。その一方で永久磁石は光軸方向に沿って磁界強度が変化する特性を有しているので、前述のようにレンズホルダと共にトラッキングコイルが光軸方向に移動されると、トラッキングコイルに発生する電磁力の光軸方向に沿う中心点がずれてしまい、トラッキングコイル、すなわちレンズホルダがトラッキング動作及びフォーカシング動作する際に傾動作するという、いわゆるローリングによる共振が現れ、光ディスク媒体への良好な記録、再生特性を得ることが困難になるという問題が生じる。
【０００９】
本発明の目的は、かかる従来例の不具合を解決すべくなされたものであり、光ディスク装置の消費電力を上げることなくラジアル方向（トラッキング方向）への推力を増大すると同時に、対物レンズを光軸方向（フォーカシング方向）に移動してもレンズホルダにおけるローリングモードによる振動を抑制し、良好な情報の記録、再生特性を得ることを可能とした対物レンズ駆動装置を提供することを目的とする。また、同時に光軸方向の推力を向上することを目的とする。
【課題を解決するための手段】
【００１０】
本発明は、光ディスク媒体に光源からの光を集光させる対物レンズと、対物レンズをフォーカシング方向に駆動するフォーカシングコイル、及び光軸と直交するトラッキング方向に駆動するトラッキングコイルとを備えたレンズホルダと、レンズホルダを光ヘッド上で移動可能に支持する支持部材と、フォーカシングコイル及びトラッキングコイルと交差する磁界を発生させる磁石と、磁石と協動して磁界の磁力強度を高めるヨークとを備える光ヘッドにおいて、磁石は、トラッキング方向に沿って中央の第１の磁極と、これを挟む両側の第２の磁極とで構成され、トラッキングコイルは第１及び第２の磁極の各境界部においてそれぞれ一方の辺が第１の磁極に対向され、他方の辺が第２の磁極に対向されるように複数個設けられ、磁石の第１の磁極と第２の磁極の各境界部はフォーカシングコイルを挟んで磁石に対向配置されるヨークのトラッキング方向の両側縁よりも両外側に配置されていることを特徴とする。
【発明の効果】
【００１１】
本発明による対物レンズ駆動装置によれば、以下のような効果を得ることが可能となる。第１の効果は、消費電力を上げることなしにトラッキング方向への推力を向上することが可能となることである。その理由は、従来トラッキング方向への推力に利く有効長として使用していなかったトラッキング方向の反対側のトラッキングコイル辺も有効利用出来るよう、磁石の着磁を多極化する構成としたためである。第２の効果は、対物レンズの合焦点位置がシフトしてもローリングモードによる振動を抑制することが可能となったことである。その理由は、トラッキングコイルのフォーカシング方向の高さを所望の発生力を満たす範囲で適当に短縮することが可能となったことで、対物レンズの上下シフトに伴い可動部が変位してもトラッキングコイルに発生する推力の中心点が変化し難くなることになるためである。第３の効果は、消費電力を上げることなしにフォーカシング方向への推力を向上することが可能となることである。その理由は、永久磁石の一つの極の幅寸法をフォーカシングコイルに沿って配設されているヨークの幅寸法よりも大きくすることで、当該永久磁石によって発生しフォーカシングコイルを横切る磁力線の数を増大することが可能であるためである。以上により、消費電力を上げることなくトラッキング方向及びフォカシング方向への推力を向上すると同時に、異なる種類の媒体に対し対物レンズの合焦点位置がシフトしても可動部のローリングモードによる振動を抑制し、さらに消費電力の良好な情報の記録、再生特性を得ることを可能とした対物レンズ駆動装置を提供することが出来る。
【発明を実施するための最良の形態】
【００１２】
本発明では、トラッキングコイルは概ね長方形、ないしは正方形の形状に巻回されており、その４辺のうち光軸と平行な辺がそれぞれ磁石の異なる磁極に対向するよう配置される。また、本発明においては、前記磁石はフォーカシング方向の両端部が開放されていることが好ましい。また、磁石の光軸方向の寸法は、トラッキングコイルのフォーカシング方向の有効長寸法のほぼ２倍以上に形成されることが好ましく、トラッキングコイルは磁石のフォーカシング方向のほぼ中央位置に対向配置されていることが好ましい。
【実施例１】
【００１３】
次に、本発明の実施例について図面を参照して詳細に説明する。図１は本発明に係る対物レンズ駆動装置が実装されている光ディスク装置の一部を示す斜視図であり、光ディスク装置は仮想線で示すＣＤ等の光ディスク媒体Ｄを高速で回転駆動するためのスピンドルモータＳＭが備えられ、このスピンドルモータＳＭの半径方向に沿って一対のレールＲ１，Ｒ２が延設されている。そして、これらレールＲ１，Ｒ２には光ヘッドブロックＯＨＢが支持されており、図には表れない駆動機構によって前記レールＲ１，Ｒ２に沿って、すなわち光ディスク媒体Ｄの半径方向に沿って往復移動可能に構成されている。前記光ヘッドブロックＯＨＢには本発明にかかる対物レンズ駆動装置ＯＬＤが搭載されるとともに、半導体レーザ等の発光素子及び受光ダイオード等の受光素子を含む光源部ＯＤが支持されており、この光源部ＯＤで発光されたレーザ光を前記対物レンズ駆動装置ＯＬＤを介して光ディスク媒体Ｄに投射し、かつ光ディスク媒体Ｄによって反射されたレーザ光を光源部ＯＤで受光し、受光信号に伴う電気信号を出力するように構成されている。なお、ＦＷは光ヘッドＯＨと光ディスク装置との間の電気接続を行うためのフレキシブル配線である。
【００１４】
図２は前記対物レンズ駆動装置ＯＬＤの一部を破断した斜視図である。また、図３はその一部を分解した斜視図、図４は平面図、図５は図４のＡ−Ａ線に沿う部分の模式的な断面図である。図２に示すように、前記光ヘッドブロックＯＨＢに搭載された光源部ＯＤからの光を前記光ディスク媒体Ｄの情報記録面に集光する対物レンズ１はレンズホルダ２に装着されている。前記レンズホルダ２は固定ブロック３に固定されたホルダ支持体４に一端を固定された４本の平行な弾性ロッド状の支持部材５の他端において片持ち支持され、これら支持部材５で構成される平行リンク機構によってその姿勢を保ったまま同図に光軸方向として示すフォーカシング方向と、同図にラジアル方向として示すトラッキング方向にそれぞれ移動できるようになっている。なお、支持部材５として板バネ等のヒンジを使用することが可能であることは言うまでもない。
【００１５】
前記固定ブロック３は、図３に示すように、矩形をした底板部１１のラジアル方向の両側に両側壁部１２が形成されるとともに、これら両側壁部１２の間にはそれぞれ２枚ずつ対をなす４枚のヨーク７Ａａと７Ａｂ，７Ｂａと７Ｂｂがタンジェンシャル方向に所要の間隔をおいて立設され、さらにヨーク７Ａｂと７Ｂｂの間にはレーザ光挿通窓１３が開口されている。そして、図４に示すように、前記ヨーク７Ａａと７Ａｂの間、及び７Ｂａと７Ｂｂの間にはそれぞれ永久磁石６Ａ，６Ｂが配設されるとともに、当該永久磁石６Ａ，６Ｂはそれぞれ前記ヨーク７Ａａ，７Ｂａの各内面に密接した状態で固定支持されており、この構成によって前記永久磁石６Ａ，６Ｂによる磁界強度の分布効率が高められている。このとき、図５に示すように、前記各永久磁石６Ａ，６Ｂとヨーク７Ａｂ，７Ｂｂとの間にはレンズホルダ２の一部が挿通可能な隙間が確保されるとともに、各永久磁石６Ａ，６Ｂの下端面は前記固定ブロック３の底板部１１の上面に対して所要の間隔が確保されており、これにより永久磁石６Ａ，６Ｂの光軸方向の両端部は開放された状態とされている。
【００１６】
以上のように前記レンズホルダ２は４本の支持部材５によって前記固定ブロック３の上面に支持された状態でタンジェンシャル方向に所要の間隔で対向配置された一対の永久磁石６Ａ，６Ｂの間に配置されていることになる。また、レンズホルダ２には、対物レンズ１を光ディスク媒体の面振れ、偏心の各変動に対し、追従可能とするよう光軸方向へ駆動するための推力を発生させたフォーカシングコイル８と、同様にラジアル方向へ駆動するための推力を発生するトラッキングコイル９が装着されている。
【００１７】
前記フォーカシングコイル８は、レンズホルダ２の周側面にそって水平方向に巻回されており、特にレンズホルダ２が前記各永久磁石６Ａ，６Ｂに対面する箇所では各永久磁石６Ａ，６Ｂに対して水平方向にコイル線が延長されている。前記トラッキングコイル９は前記レンズホルダ２が前記各永久磁石６Ａ，６Ｂに対向する面において、その面内において矩形の渦巻状に巻回されている。また、図２、図３には永久磁石６Ａに対面する側のトラッキングコイル９のみが図示されているが、反対側の永久磁石６Ｂに対面する側のトラッキングコイル９を含めて、両端面の各トラッキングコイル９は水平方向、すなわちラジアル方向に同一規格の各２つのトラッキングコイル９ａ，９ｂで構成されている。これらのフォーカシングコイル８及びトラッキングコイル９はそれぞれ前記永久磁石６Ａ，６Ｂによって生じる磁界内の位置、すなわち前記ヨーク７Ａａと７Ａｂの間、及び７Ｂａと７Ｂｂの間に延在されるように配置されている。なお、前記永久磁石６Ａ，６Ｂにより生じる磁界強度が大きいときには前記ヨークは省略することも可能である。
【００１８】
前記一対の永久磁石６Ａ，６Ｂのうち、一方の永久磁石６Ａとトラッキングコイル９との構成を図６に模式的に示す。同図のように、永久磁石６Ａはラジアル方向に幅広に形成した中央Ｎ極６ｎと、この中央Ｎ極６ｎの両側に配置された幅狭の両側Ｓ極６ｓ，６ｓとで３極に着磁された構成とされている。また、このように永久磁石６Ａが３極に着磁された構成に対応して、前記トラッキングコイル９（９ａ，９ｂ）は、その巻回中心が対面される永久磁石６ＡのＮ極６ｎとＳ極６ｓ，６ｓとの境界にほぼ対向する位置に配置されている。すなわち、長方形あるいは正方形に巻回された各トラッキングコイル９ａ，９ｂの四つの辺ｈ１，ｈ２，ｈ３，ｈ４のうち、ラジアル方向に対向する辺ｈ１，ｈ３がそれぞれ中央Ｎ極６ｎ、両側Ｓ極６ｓに対面するように配置されている。そして、各永久磁石６Ａに対面する各一対のトラッキンググコイル９ａ，９Ｂは、それぞれの通電方向が互いに反対となるように図には表れない電流源に接続されている。
【００１９】
図５に示すように、各永久磁石６Ａの前記中央Ｎ極６ｎ、両側Ｓ極６ｓ，６ｓの光軸方向の長さは、少なくとも前記レンズホルダ２が光軸方向に移動される範囲を含む長さ領域にわたってそれぞれ磁極が連続する状態で形成されている。また、図７に永久磁石６Ａとトラッキングコイル９の側面配置構成を示すように、永久磁石６Ａの光軸方向の寸法ＨＭは前記トラッキングコイル９の光軸方向の寸法、特に光軸方向に平行な辺ｈ１，ｈ３の寸法（ここではトラッキングコイル９の光軸方向の有効長寸法と称する）ＨＣよりも十分に長くされており、この実施形態では、ほぼ２倍の寸法にされている。永久磁石６Ｂについても同様である。
【００２０】
図８（ａ）に永久磁石６Ａとトラッキングコイル９及びフォーカシングコイル８の平面配置構成を示すように、永久磁石６ＡにおけるＮ極６ｎとその両側のＳ極６ｓ，６ｓとの各境界部は前記センター側のヨーク７Ａｂのラジアル方向の両側縁部の両外側に位置されるようになっている。永久磁石６Ｂについても、Ｎ極６ｎとその両側のＳ極６ｓ，６ｓとの各境界部はセンター側のヨーク７Ｂｂのラジアル方向の両側縁部よりも両外側に位置されるようになっている。
【００２１】
以上の構成の対物レンズ駆動装置の動作について説明する。タンジェンシャル方向に対向配置された一対の永久磁石６Ａ，６Ｂはそれぞれ中央Ｎ極６ｎと両側Ｓ極６ｓ，６ｓの３極に着磁されているため、図２に破線矢印に示すように中央Ｎ極６ｎから両側Ｓ極６ｓに向かう磁界が発生されている。この状態において、フォーカシングコイル８はレンズホルダ２のタンジェンシャル方向の両端面において各永久磁石６Ａ，６Ｂの磁界内に配置されているため、フォーカシングコイル８に通電を行うと、フォーカシングコイル８には光軸方向の電磁力が発生し、この電磁力によってレンズホルダ２は支持部材５を弾性変形させながら光軸方向に移動される。これにより、対物レンズ１は光軸方向に移動され、フォーカシングの制御が行われる。
【００２２】
このとき、図８（ａ）に示すように、永久磁石６ＡのＮ極６ｎとＳ極６ｓ，６ｓの両境界部はセンター側のヨーク７Ａｂのラジアル方向の両側縁部よりも両外側に配置されているため、Ｎ極６ｎからヨーク７Ａｂに向かう磁力線の数は特に両側部においても極端に低減されることはなく、結果としてフォーカシングコイル８を横切る磁力線の数を中央部と同等程度の数に保持することができる。因みに、図８（ｂ）に示すように、Ｎ極６ｎとＳ極６ｓ，６ｓの両境界部がセンター側のヨーク７Ａｂのラジアル方向の両側縁部よりも両内側に配置されていると、Ｎ極６ｎの両側部の磁力線は両外側に向けて逃げる方向に向けられようになり、フォーカシングコイル８を横切る磁力線の数は少なくなる。これにより、この実施例の永久磁石６Ａの構成では、消費電力を上げることなくレンズホルダ２を光軸方向に移動させる推力を大きくすることができる。
【００２３】
一方、トラッキングコイル９も前記各永久磁石６Ａ，６Ｂによって発生された前述の磁界内に配置されており、レンズホルダ２の両端面におけるトラッキングコイル９（９ａ，９ｂ）に通電を行うと、図７に示したようにラジアル方向に配置された各一対のトラッキングコイル９ａ，９ｂには実線矢印のように対称な向きに電流が通流される。そして、長方形、ないしは正方形の矩形に巻回されたトラッキングコイル９ａ，９ｂに電流を通流したときには、その４辺のうち、ラジアル方向の辺ｈ１，ｈ３はそれぞれ上下方向に逆方向の電流が流れるが、これらの辺ｈ１，ｈ３はそれぞれ永久磁石６ＡのＮ極６ｎ、Ｓ極６ｓに対向されているため、結局両辺ｈ１，ｈ３においてそれぞれ白抜き矢印のように同じラジアル方向に向けた電磁力が発生し、レンズホルダ２を同方向に移動させる。これは、一対のトラッキングコイル９ａ，９ｂにおいても同様であり、また対向する永久磁石６Ｂに対面する一対のトラッキングコイル９においても同様である。
【００２４】
このように、永久磁石６Ａ，６ＢをＮ極６ｎと両Ｓ極６ｓ，６ｓの３極に着磁するとともに、ラジアル方向の一対のトラッキングコイル９ａ，９ｂを３極の境界に対向して配置することにより、各トラッキングコイル９ａ，９ｂの２つの辺ｈ１，ｈ３においてそれぞれ同一ラジアル方向の電磁力が発生することになる。従来、永久磁石を１極の例えばＮ極で構成した場合には、トラッキングコイルに発生するラジアル方向への電磁力は１つの辺からしか得ることが出来なかったが、このように２つの辺において電磁力を得ることで単純に倍増はしないものの、２倍近い電磁力を得ることが可能となる。このため、トラッキングコイル９（９ａ，９ｂ）の巻き数増や有効長延長によるコイル形状の大型化を伴わず、更に消費電力を上げることもなしにラジアル方向の電磁力の向上を達成することが可能となる。
【００２５】
また、このように３極の永久磁石６Ａ，６Ｂを用いてラジアル方向の電磁力を大幅に向上し、しかもトラッキングコイル９をラジアル方向に２つのトラッキングコイル９ａ，９ｂとで構成したことにより、各トラッキングコイル９ａ，９ｂの有効長、すなわち光軸方向の寸法を所望の電磁力を満たす範囲内で電磁力が増大した分に相当するだけ短縮することが可能となる。そして、このトラッキングコイル９ａ，９ｂの高さ寸法を短縮することによって、対物レンズ１におけるローリングモードによる振動を防止することも可能になる。
【００２６】
すなわち、前述のように一対の永久磁石６Ａ，６Ｂはそれぞれ中心Ｎ極６ｎ、両側Ｓ極６ｓ，６ｓが光軸方向、つまり高さ方向に一体的に連続した構成となっている。しかも永久磁石６Ａ，６Ｂの下側端部は固定ブロック３の底辺部１１の表面から離れており、上側端部と同様に開放された構成とされている。そのため、図９に模式的に示すように、永久磁石６Ａ，６Ｂによって形成される磁界は、各永久磁石６Ａ，６Ｂの両端を起点、終点とする上下に対称性のすぐれた磁界強度分布となる。また、この実施形態ではトラッキングコイル９（９ａ，９ｂ）の光軸方向の有効長寸法は永久磁石６Ａ，６Ｂの同方向のほぼ１／２の寸法となっており、しかも永久磁石６Ａ，６Ｂの同方向のほぼ中央位置に対向配置されている。このため、対物レンズ１が光軸方向に移動しても、トラッキングコイル９はほぼ全体が永久磁石６Ａ，６Ｂの対称性の高い磁界強度分布の範囲内で移動されるようになり、トラッキングコイル９に発生する磁力の中心点が変化し難くなる。ローリングモードは可動部、すなわち対物レンズ１を含むレンズホルダ２の重心とラジアル方向に発生する電磁力の中心点とのずれに起因して生じるモードである。このため、前述のように対物レンズ１が光軸方向に移動してトラッキングコイル９の光軸方向の位置が変化しても、発生する電磁力の中心が変動し難くなり、レンズホルダ２にローリングモードによる振動が現れ難くなる。因みに永久磁石６Ａ，６Ｂの下側端部が固定ブロック３に接していると、下側端部の近傍では固定ブロック３を含んだ磁界強度分布となり、前述の対称性が崩れてローリングモードの抑制効果が低下してしまう。
【００２７】
以上より、本発明の対物レンズ駆動装置では、消費電力を上げることなく光軸方向及びラジアル方向の推力、換言すればフォーカシング方向とトラッキング方向の推力を向上すると同時に、異なる種類の媒体に対応するため対物レンズの合焦点位置がシフトしても可動部のローリングモードによる共振を抑制し、良好な情報の記録、再生特性を得ることが可能となる。
【００２８】
なお、前記実施例の永久磁石のＮ極とＳ極の着磁極性が反対でも同様の効果が得られることは言うまでもない。また、永久磁石を多極化せず、複数個の磁石を貼り付けて一体化することでも同様の効果を得ることが可能となる。更には、対物レンズ駆動装置がフォーカシング、トラッキングのみならずタンジェンシャル方向にも駆動可能なものであっても同様の効果を得る事が出来る。
【図面の簡単な説明】
【００２９】
【図１】本発明に係る対物レンズ駆動装置を実装した光ディスク装置の一部の斜視図である。
【図２】実施例の対物レンズ駆動装置の一部を破断した斜視図である
【図３】実施例の対物レンズ駆動装置を分解した分解斜視図である。
【図４】実施例の対物レンズ駆動装置の平面図である
【図５】図４のＡ−Ａ線に沿う簡略断面図である。
【図６】永久磁石及びトラッキングコイル周辺の磁界分布方向を示す斜視図である
【図７】トラッキングコイルにおいて生じる磁力を説明する模式図である。
【図８】永久磁石とヨークの関係及びその磁力を示す模式的な平面図である。
【図９】トラッキングコイル近傍のフォーカシング方向磁界強度分布図である
【図１０】従来の対物レンズ駆動装置の一例の斜視図である
【符号の説明】
【００３０】
ＯＬＤ  対物レンズ駆動装置
Ｄ  光ディスク媒体
ＳＭ  スピンドルモータ
ＯＨＢ  光ヘッドブロック
１  対物レンズ
２  レンズホルダ
３  固定ブロック
４  ホルダ支持体
５  支持部材
６Ａ，６Ｂ  永久磁石
７Ａａ，７Ａｂ，７Ｂａ，７Ｂｂ  ヨーク
８  フォーカシングコイル
９（９ａ，９ｂ）  トラッキングコイル
【図１】
2005038496.tif 000003
【図２】
2005038496.tif 000004
【図３】
2005038496.tif 000005
【図４】
2005038496.tif 000006
【図５】
2005038496.tif 000007
【図６】
2005038496.tif 000008
【図７】
2005038496.tif 000009
【図８】
2005038496.tif 000010
【図９】
2005038496.tif 000011
【図１０】
2005038496.tif 000012